Podtech/llm-jp-corpus-v4-ja_patent huggingface dataset:
【手続補正書】
【提出日】平成27年6月30日(2015.6.30)
【手続補正１】
【補正対象書類名】明細書
【補正対象項目名】０００１
【補正方法】変更
【補正の内容】
【０００１】
本発明は、遊技媒体を検出する遊技媒体検出手段を備えた遊技機に関する。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
しかしながら、遊技機で発生した異常により、遊技店が不測の不利益を被るおそれがあった。
【手続補正４】
【補正対象書類名】明細書
【補正対象項目名】０００８
【補正方法】変更
【補正の内容】
【０００８】
この発明は、上記のような問題点を解決するためになされたもので、遊技機で発生した異常によって、遊技店が不測の不利益を被るのを回避できる遊技機を提供することを目的とする。
【手続補正５】
【補正対象書類名】明細書
【補正対象項目名】０００９
【補正方法】変更
【補正の内容】
【０００９】
上記目的を達成するため請求項１の発明は、
遊技媒体の検出に対応して遊技を実行し、遊技者に特定の遊技価値を付与可能な制御手段と、
遊技媒体を検出したか否かを示す遊技媒体検出信号を出力する遊技媒体検出手段と、
当該遊技機で発生した異常を検出し、該異常が発生したことを示す異常信号を出力する異常検出手段と、を備え、
前記制御手段に、前記遊技媒体を検出したか否かを示す遊技媒体検出信号と、前記異常検出手段から出力される異常信号を入力するようにしたことを特徴とする。
【手続補正６】
【補正対象書類名】明細書
【補正対象項目名】００１０
【補正方法】変更
【補正の内容】
【００１０】
請求項１に記載の発明によれば、制御手段に、遊技媒体検出信号と異常信号を入力するようにしているため、遊技機で発生した異常により誤検出信号を出力されたとしてもエラーとして検知され、賞品球が払い出されるのを防止することができ、遊技店が不測の不利益を被るのを回避することができる。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】変更
【補正の内容】
【００１９】
本発明によれば、遊技機で発生した異常によって、遊技店が不測の不利益を被るのを回避できるという効果がある。
【手続補正１６】
【補正対象書類名】特許請求の範囲
【補正対象項目名】全文
【補正方法】変更
【補正の内容】
【特許請求の範囲】
【請求項１】
遊技媒体の検出に対応して遊技を実行し、遊技者に特定の遊技価値を付与可能な制御手段と、
遊技媒体を検出したか否かを示す遊技媒体検出信号を出力する遊技媒体検出手段と、
当該遊技機で発生した異常を検出し、該異常が発生したことを示す異常信号を出力する異常検出手段と、を備え、
前記制御手段に、前記遊技媒体を検出したか否かを示す遊技媒体検出信号と、前記異常検出手段から出力される異常信号を入力するようにしたことを特徴とする遊技機。
【手続補正書】
【提出日】平成27年9月30日(2015.9.30)
【手続補正１】
【補正対象書類名】特許請求の範囲
【補正対象項目名】請求項１
【補正方法】変更
【補正の内容】
【請求項１】
複数種類の図柄を表示した複数のリールと、
遊技者が操作する操作スイッチと、
遊技の進行を制御するメイン制御手段と
を備え、
前記メイン制御手段は、
役の抽選を行う手段と、
所定間隔ごとに更新されるカウンターと、
前記操作スイッチの操作に基づいて回転中の前記リールを仮停止させる擬似遊技を実行する擬似遊技制御手段と
を備え、
前記擬似遊技制御手段は、
所定の条件を満たしたときは、前記操作スイッチの操作に基づいて所定の図柄の組合せを仮停止可能に制御し、
すべての前記リールが仮停止している状況下において、前記カウンターの値に基づいて前記リールを制御することにより、すべての前記リールを同期させた揺れ変動を行うように制御し、
前記メイン制御手段は、擬似遊技を終了した後に通常遊技を開始するときは、少なくとも１つの前記リールの回転開始タイミングをランダムにするためのランダム遅延処理を実行する
ことを特徴とするスロットマシン。
【手続補正２】
【補正対象書類名】明細書
【補正対象項目名】０００１
【補正方法】変更
【補正の内容】
【０００１】
本発明は、操作スイッチの操作に基づいて回転中のリールを仮停止させる擬似遊技を実行するスロットマシンに関するものである。
【手続補正３】
【補正対象書類名】明細書
【補正対象項目名】０００４
【補正方法】変更
【補正の内容】
【０００４】
前述の従来の技術において、第１の従来技術では、メインリールと異なるサブリールによるリール演出であるので、遊技者から見た認識では、液晶表示装置等がサブリールに置き換わったにすぎないという印象を遊技者に与える。
また、第２の従来技術では、前遊技における全リール停止時に、特定の図柄の組合せ（準備目）を出しておく必要があり、準備目が出現していない状態でフリーズ中の演出に移行すると、所定の図柄の組合せを遊技者に見せることができないという問題がある。
さらに、従来の技術では、ＡＴ遊技に当選した場合において、すぐにＡＴ遊技を実行可能であっても、ＡＴ遊技の当選を意味する図柄の組合せを停止表示させる遊技を、ＡＴ遊技の開始前に別途設ける必要があるという問題がある。そして、ＡＴ遊技の開始を意味する図柄の組合せが停止表示したときであっても、その図柄の組合せは、小役に係る図柄の組合せではないので、当該遊技におけるメダルの払出しはない。このため、ＡＴ遊技の開始を意味する図柄の組合せを停止表示させる遊技では、メダル消費を遊技者に負担させる必要があった。
したがって、本発明が解決しようとする課題は、通常遊技の開始前に、通常遊技と異なる擬似遊技を実行し、その擬似遊技で所定の図柄の組合せを仮停止可能とすることである。
【手続補正４】
【補正対象書類名】明細書
【補正対象項目名】０００５
【補正方法】変更
【補正の内容】
【０００５】
本発明は、以下の解決手段によって、上述の課題を解決する。なお、かっこ書きにて、対応する実施形態を示す。
本発明は、
複数種類の図柄を表示した複数のリール（３１）と、
遊技者が操作する操作スイッチ（ベットスイッチ４０、スタートスイッチ４１、ストップスイッチ４２）と、
遊技の進行を制御するメイン制御手段（５０）と
を備え、
前記メイン制御手段は、
役の抽選を行う手段（役抽選手段６１）と、
所定間隔ごとに更新されるカウンターと、
前記操作スイッチ（ストップスイッチ４２）の操作に基づいて回転中の前記リールを仮停止させる擬似遊技を実行する擬似遊技制御手段（フリーズ制御手段７０、リール制御手段６４）と
を備え、
前記擬似遊技制御手段は、
所定の条件を満たしたとき（３遊技連続でストップスイッチ４２の押し順が一致したとき）は、前記操作スイッチの操作に基づいて所定の図柄の組合せ（たとえば、「赤７（又は青７）」揃い）を仮停止可能に制御し、
すべての前記リールが仮停止している状況下において、前記カウンターの値に基づいて前記リールを制御することにより、すべての前記リールを同期させた揺れ変動を行うように制御し、
前記メイン制御手段は、擬似遊技を終了した後に通常遊技を開始するときは、少なくとも１つの前記リールの回転開始タイミングをランダムにするためのランダム遅延処理を実行する
ことを特徴とする。
【手続補正５】
【補正対象書類名】明細書
【補正対象項目名】０００６
【補正方法】変更
【補正の内容】
【０００６】
本発明によれば、通常遊技の開始前に、通常遊技とは異なる擬似遊技を実行し、この擬似遊技において所定の図柄の組合せを仮停止可能としたので、通常遊技と一体となった（通常遊技を進行しているかのような印象を遊技者に与える、あるいは遊技を進行する上で遊技者に対して違和感を与えない）リール動作を実行することができる。
また、擬似遊技中におけるリールの仮停止時には、すべてのリールを同期させた揺れ変動を実行するので、通常遊技でのリールの停止とは異なる停止態様にすることができる。
さらにまた、擬似遊技を終了して通常遊技を開始するときは、少なくとも１つのリールについてランダム遅延処理を実行するので、擬似遊技で仮停止した図柄の組合せが目押しの補助になることがないので遊技の公正を担保することができる。
【手続補正書】
【提出日】平成27年7月1日(2015.7.1)
【手続補正１】
【補正対象書類名】特許請求の範囲
【補正対象項目名】全文
【補正方法】変更
【補正の内容】
【特許請求の範囲】
【請求項１】
始動入賞領域への遊技球の入賞に基づき、識別図柄を変動表示する変動表示ゲームを実行可能な変動表示装置を備え、
前記変動表示ゲームの停止結果態様が予め定めた特別結果態様となった場合に、遊技者にとって有利な特別遊技状態を発生させる遊技機において、
前記始動入賞領域への遊技球の入賞に基づいて、前記変動表示ゲームの変動パターンを当該変動表示ゲームの停止結果態様が前記特別結果態様となる信頼度が異なる複数の変動パターンから選択する変動パターン選択手段と、
前記変動パターン選択手段によって選択された変動パターンに対応する演出を実行する演出制御手段と、
を備え、
前記変動パターンには、第１変動パターンおよび第２変動パターンと、
前記信頼度が前記第１変動パターンおよび第２変動パターンよりも低く設定された第３変動パターンと、があり、
前記演出制御手段は、
前記第１変動パターンにおいて、第１リーチ演出が実行されることを認識可能な第１予告を実行後に当該第１リーチ演出を実行し、
前記第３変動パターンにおいて、第２リーチ演出が実行されることを認識可能であるとともに第１リーチ演出が実行されることが認識困難な第２予告を実行後に当該第２リーチ演出を実行し、
前記第２変動パターンにおいて、前記第２予告を実行して前記第２リーチ演出が実行されることが報知された後に前記第１リーチ演出が実行されるとともに、当該第２予告の実行後であって当該第１リーチ演出が実行される前に、当該第１リーチ演出を実行することを報知する演出を実行することを特徴とする遊技機。
【手続補正２】
【補正対象書類名】明細書
【補正対象項目名】０００７
【補正方法】変更
【補正の内容】
【０００７】
しかしながら、特許文献１に開示されたパチンコ機では、遊技者の期待感を考慮して実行する演出を選択するものではなかった。すなわち、変動パターンの演出に対して遊技者がどのような期待感を持って遊技を楽しむことができるかなどを考慮したものではなかったため、興趣が高まりきらなかった。
【手続補正３】
【補正対象書類名】明細書
【補正対象項目名】０００８
【補正方法】変更
【補正の内容】
【０００８】
本発明は上記の課題に鑑みなされたもので、変動パターンの演出について興趣を高めることが可能な遊技機を提供することを目的とする。
【手続補正４】
【補正対象書類名】明細書
【補正対象項目名】０００９
【補正方法】変更
【補正の内容】
【０００９】
本発明の代表的な一形態では、始動入賞領域への遊技球の入賞に基づき、識別図柄を変動表示する変動表示ゲームを実行可能な変動表示装置を備え、前記変動表示ゲームの停止結果態様が予め定めた特別結果態様となった場合に、遊技者にとって有利な特別遊技状態を発生させる遊技機において、前記始動入賞領域への遊技球の入賞に基づいて、前記変動表示ゲームの変動パターンを当該変動表示ゲームの停止結果態様が前記特別結果態様となる信頼度が異なる複数の変動パターンから選択する変動パターン選択手段と、前記変動パターン選択手段によって選択された変動パターンに対応する演出を実行する演出制御手段と、を備え、前記変動パターンには、第１変動パターンおよび第２変動パターンと、前記信頼度が前記第１変動パターンおよび第２変動パターンよりも低く設定された第３変動パターンと、があり、前記演出制御手段は、前記第１変動パターンにおいて、第１リーチ演出が実行されることを認識可能な第１予告を実行後に当該第１リーチ演出を実行し、前記第３変動パターンにおいて、第２リーチ演出が実行されることを認識可能であるとともに第１リーチ演出が実行されることが認識困難な第２予告を実行後に当該第２リーチ演出を実行し、前記第２変動パターンにおいて、前記第２予告を実行して前記第２リーチ演出が実行されることが報知された後に前記第１リーチ演出が実行されるとともに、当該第２予告の実行後であって当該第１リーチ演出が実行される前に、当該第１リーチ演出を実行することを報知する演出を実行することを特徴とする。
【手続補正５】
【補正対象書類名】明細書
【補正対象項目名】００１０
【補正方法】変更
【補正の内容】
【００１０】
本発明の一形態によれば、変動パターンの演出について興趣を高めることが可能となる。
【手続補正６】
【補正対象書類名】明細書
【補正対象項目名】０３０２
【補正方法】変更
【補正の内容】
【０３０２】
（Ｅ）及び（Ｆ）は、後半変動のリーチ系統が「ＳＰ３リーチ」であって、前半変動パターンが「図柄演出３」の場合の変動パターンを示している。（Ｅ）では、前半変動として、通常変動が実行された後、３回の図柄演出（第１変動態様）が順次実行される（第１変動表示時間に対応する第１予告演出）。一方、（Ｆ）では、通常変動の後、１回目の図柄演出（第２変動態様）が実行され、その後、ＳＰ１リーチの導入部分の演出が実行される（第１変動表示時間に対応する第２予告演出）。なお、（Ｅ）及び（Ｆ）においては、どちらもＳＰ３リーチが実行されるが、（Ｆ）では、ＳＰ１リーチの導入部分の演出を実行してからＳＰ３リーチが実行されるので、遊技者に意外性を与えるとともに興趣を高めることとなる。
【手続補正書】
【提出日】平成27年9月11日(2015.9.11)
【手続補正１】
【補正対象書類名】明細書
【補正対象項目名】０００８
【補正方法】変更
【補正の内容】
【０００８】
請求項１の作業機の手摺装置は、下部走行体上に旋回装置を介して旋回フレームを設置し、
前記旋回フレーム上の前部の片側に運転室を搭載すると共に、後部にパワーユニットを搭載して上部旋回体を構成し、
前記上部旋回体における前記運転室の搭載部の反対側の外側部に頂部が前記上部旋回体の上面より上方に突出する手摺を立設し、
前記手摺より内側の上部旋回体の上面を前記上部旋回体の前後方向の少なくとも中間部から前記パワーユニット上に至る通路として用いる作業機の手摺装置において、
前記手摺を、前記上部旋回体に固定する下手摺と、この下手摺に取付ける上手摺からなる分割構造とし、
前記上手摺を前記下手摺に対して前記上部旋回体の内側に起伏可能に取付けると共に、
前記上手摺を前記上部旋回体の内側に倒した際に、前記上手摺で前記通路を遮断する構成にしたことを特徴とする。
【手続補正２】
【補正対象書類名】明細書
【補正対象項目名】００２８
【補正方法】変更
【補正の内容】
【００２８】
作業機を図１に示すように輸送トラック２上に搭載して輸送する際には、手摺２２が輸送制限高さＨを超えないように、図４に２点鎖線で示すように上部旋回体１３の内側に倒して輸送する。この場合、固定ピン２９の操作部２９ａをつまんでガイド溝３０ａの固定溝３０ｂから外し、操作部２９ａをガイド溝３０ａに沿って移動させて固定ピン２９をブラケット２６のピン孔２６ｆから引き抜く。そして操作部２９ａを固定溝３０ｃに嵌めて固定ピン２９がピン孔２６ｆから引き抜かれた状態を保つ。
【手続補正３】
【補正対象書類名】明細書
【補正対象項目名】００３１
【補正方法】変更
【補正の内容】
【００３１】
このように、上手摺２４で通路１８を遮断した状態において、操作部２９ａをガイド筒３０の周方向に回して操作部２９ａを固定溝３０ｂに嵌めることにより、固定ピン２９が振動等によりピン孔２０ｇから外れることを防止する。このように上手摺２４を倒した状態においては、上手摺２４は下手摺２３の頂部より低くなるので、手摺２２は輸送制限高さＨ以下とすることができる。
【手続補正４】
【補正対象書類名】明細書
【補正対象項目名】００３６
【補正方法】変更
【補正の内容】
【００３６】
１：作業機、２：輸送トラック、３：下部走行体、４：旋回装置、５：旋回フレーム、６：作業用フロント、７：運転室、８：建屋、９：カウンタウエイト、１０：燃料タンク、１１：作動油タンク、１２：前部カバー、１３：上部旋回体、１９ａ〜１９ｃ：ステップ、２０：手摺、２２：手摺、２３：下手摺、２４：上手摺、２６：ブラケット、２６ａ：背板部、２６ｂ：底板部、２６ｃ：前板部、２６ｄ：縦板部，２６ｅ：軸、２６ｆ，２６ｇ：ピン孔、２７：取付け板、２７ａ：上板部、２７ｂ：縦板部、２７ｃ：長孔、２７ｄ：ピン孔、２９：固定ピン、２９ａ：操作部、３０：ガイド筒、３０ａ：ガイド溝、３０ｂ，３０ｃ：固定溝
【手続補正５】
【補正対象書類名】特許請求の範囲
【補正対象項目名】請求項１
【補正方法】変更
【補正の内容】
【請求項１】
下部走行体上に旋回装置を介して旋回フレームを設置し、
前記旋回フレーム上の前部の片側に運転室を搭載すると共に、後部にパワーユニットを搭載して上部旋回体を構成し、
前記上部旋回体における前記運転室の搭載部の反対側の外側部に頂部が前記上部旋回体の上面より上方に突出する手摺を立設し、
前記手摺より内側の上部旋回体の上面を前記上部旋回体の前後方向の少なくとも中間部から前記パワーユニット上に至る通路として用いる作業機の手摺装置において、
前記手摺を、前記上部旋回体に固定する下手摺と、この下手摺に取付ける上手摺からなる分割構造とし、
前記上手摺を前記下手摺に対して前記上部旋回体の内側に起伏可能に取付けると共に、
前記上手摺を前記上部旋回体の内側に倒した際に、前記上手摺で前記通路を遮断する構成にしたことを特徴とする作業機の手摺装置。
【手続補正書】
【提出日】平成27年7月21日(2015.7.21)
【手続補正１】
【補正対象書類名】特許請求の範囲
【補正対象項目名】全文
【補正方法】変更
【補正の内容】
【特許請求の範囲】
【請求項１】
３３から１２３ｍｇ／ｇのヨウ素価、３３ｃｃ／１００ｇから３７ｃｃ／１００ｇのＤＢＰ、μｇ／ｇ単位で、１３７８μｇ／ｇ以下のＩＡ族およびＩＩＡ族元素の全濃度、および１．１６から１．２３未満のＭ比を有するカーボンブラックであって、該Ｍ比は、該カーボンブラックの、ストークス径の最頻値に対するストークス径のメディアンの比率である、カーボンブラック。
【請求項２】
６から１０のｐＨを有するか、
多くて６ｍＪ／ｍ2の拡水圧力を有するか、または、
８７〜１２３％の着色力を有するか、
の内の少なくとも１つによって特徴づけられる、請求項１記載のカーボンブラック。
【請求項３】
３３から１２３ｍｇ／ｇのヨウ素価、３３ｃｃ／１００ｇから３７ｃｃ／１００ｇのＤＢＰ、多くて４．９ｍＪ／ｍ２の拡水圧力、および１．１６から１．２３未満のＭ比を有するカーボンブラックであって、該Ｍ比は、該カーボンブラックの、ストークス径の最頻値に対するストークス径のメディアンの比率である、カーボンブラック。
【請求項４】
１．１６から１．２２未満のＭ比を有するか、
６から１０のｐＨを有するか、
１３７８μｇ／ｇ以下のＩＡ族およびＩＩＡ族元素の全濃度を有するか、または、
８７〜１２３％の着色力を有するか、
の内の少なくとも１つによって特徴づけられる、請求項３記載のカーボンブラック。
【請求項５】
酸化したカーボンブラック、熱処理したカーボンブラックまたは結合した有機基を含む改質したカーボンブラックである、請求項１または３記載のカーボンブラック。
【請求項６】
３３から１２３ｍｇ／ｇのヨウ素価、３２ｃｃ／１００ｇから３７ｃｃ／１００ｇのＤＢＰ、および１．１６から１．２３未満のＭ比を有するカーボンブラック製品であって、該Ｍ比は、カーボンブラックの、ストークス径の最頻値に対するストークス径のメディアンの比率である、該カーボンブラック製品を製造する方法であって、
予め加熱した空気流を燃料と反応させることによって、燃焼ガスの流れを生成するステップ、
流れを形成し、その流れの中で供給原料の熱分解を開始させるために、一軸平面の地点で、前記燃焼ガスの流れの中に前記供給原料を導入するステップ、
前記軸平面の地点で、燃焼ガスの流れの中に補助的炭化水素を導入するステップ、前記供給原料および前記補助的炭化水素の前記注入地点は、前記軸平面で交互である、
少なくとも１種のＩＡ族もしくはＩＩＡ族元素またはそれらを組み合わせたものを含む少なくとも１種の物質を、燃焼ガスの前記流れの中にさらに導入するステップ、ならびに、
逆浸透処理を行った水を使用して前記熱分解を冷却するステップを含み、
前記カーボンブラック製品中のＩＡ族およびＩＩＡ族元素の全濃度が、１３７８μｇ／ｇ以下である方法。
【請求項７】
（Ａ）全体の燃焼比率が少なくとも２６％であること、および
（Ｂ）前記軸平面中の前記地点の数が３であること、
の内の少なくとも一方によって特徴づけられる、請求項６記載の方法。
【請求項８】
前記補助的炭化水素が、炭化水素を含み、前記補助的炭化水素の炭素含有量が、反応装置に注入された全ての燃料流の総炭素量の多くて２０質量％になるような量で導入され、
前記補助的炭化水素が、任意選択的に気体状の形態である、請求項６記載の方法。
【請求項９】
前記カーボンブラックが、
１．１６から１．２２未満のＭ比を有するか、
６から１０のｐＨを有するか、
多くて６ｍＪ／ｍ2の拡水圧力を有するか、または、
８７〜１２３％の着色力を有するか、
の内の少なくとも１つによって特徴づけられる、請求項６記載の方法。
【請求項１０】
有機基を結合させて前記カーボンブラックを改質するステップ、前記カーボンブラックを酸化させるステップ、または前記カーボンブラックを熱処理するステップをさらに含む、請求項６記載の方法。
【請求項１１】
請求項１〜４のいずれか１項記載のカーボンブラックと混合されたポリマーを含むトナー。
【手続補正書】
【提出日】平成27年10月21日(2015.10.21)
【手続補正１】
【補正対象書類名】明細書
【補正対象項目名】００２８
【補正方法】変更
【補正の内容】
【００２８】
(変更例)
本発明は実施例の構成に限定されるものではなく、例えば、以下のようにも変更実施可能である。また、以下の変更例に限らず、実施例に記載した構成については、本発明の主旨の範囲内において種々の実施形態を採用し得る。
(１)調節手段３８は、調節回転体４０の回動により規制部材３０を位置調節する構成に限られず、支持体３６に配設されたガイドなどに沿って斜め前後方向に移動して規制部材３０を位置調節する構成やその他の構成を採用し得る。
(２)調節手段３８による調節可能角度範囲は、実施例に限られず、また係止手段４２による回動規制ピッチも実施例に限られず、適宜に設定することができる。また、調節手段３８は、無段階調節可能な構成としてもよい。調節回転体を一端が回動可能に支持されると共に他端に規制部材３０を配設したアームで構成し、該アームを回動中心に対して規制部材３０の配設位置が近接または離間するように伸縮可能とするなどにより、調節回転体の回動中心からの規制部材３０の離間間隔を変更可能に構成してもよい。
(３)規制部材３０は、１つであってもよい。
(４)保持手段２６は、ターンテーブル２４に配設される構成に限られず、搬送手段２２によって保持手段２６が上流から下流側に直線的に搬送される際に、保持手段２６で袋詰サンドイッチ１０を支持して、袋口１２側が所定位置で位置付けられて折り畳み封止される形態の各種のサンドイッチ包装機に、本発明を適用可能である。
【手続補正書】
【提出日】平成27年7月22日(2015.7.22)
【手続補正１】
【補正対象書類名】特許請求の範囲
【補正対象項目名】全文
【補正方法】変更
【補正の内容】
【特許請求の範囲】
【請求項１】
略水平方向に延び回転駆動される開閉軸と、
該開閉軸に固定され、前記開閉軸の回転に伴って、倒伏した状態の閉止位置と、起立した状態の開放位置とへ回動可能に設けられた支持アームと、
リリース軸を介して前記支持アームにより支持され、前記リリース軸を中心として、前記支持アームの長手方向に対して略平行に延びる通常位置と、前記支持アームの長手方向に対し所定角度をなして延びるリリース位置とへ、回動可能な阻止棒と、
前記支持アームの前記閉止位置から前記開放位置への回動に連動して、前記阻止棒を前記リリース位置から前記通常位置へと回動させる連動手段と、を備えることを特徴とする
車両通行遮断機。
【請求項２】
前記連動手段は、前記支持アームが前記閉止位置から前記開放位置へ回動する際に、前記阻止棒を前記リリース位置から前記通常位置へと案内するガイド部であることを特徴とする請求項１に記載の車両通行遮断機。
【請求項３】
前記開閉軸が、該開閉軸を支持する遮断機本体における車両進行方向後方側を向く面から突出して設けられたことを特徴とする請求項２に記載の車両通行遮断機。
【請求項４】
前記ガイド部が、前記遮断機本体に設けられたことを特徴とする請求項２又は３に記載の車両通行遮断機。
【請求項５】
前記ガイド部が、
少なくとも前記支持アームの前記閉止位置から前記開放位置への回動時に、前記リリース位置の前記阻止棒が当接する一端と、
前記支持アームが前記開放位置に達した状態における前記通常位置の前記阻止棒が当接する他端と、を有する当接部を備えることを特徴とする請求項４に記載の車両通行遮断機。
【請求項６】
前記ガイド部が、
少なくとも前記支持アームの前記閉止位置から前記開放位置への回動時に、前記リリース位置の前記阻止棒が当接する一端と、
前記閉止位置から前記開放位置へと回動する前記支持アームが該開放位置を越えて更に回動した状態における前記通常位置の前記阻止棒が当接する他端と、を有する当接部を備えることを特徴とする請求項４に記載の車両通行遮断機。
【請求項７】
前記開閉軸の軸線と前記当接部との距離が、前記支持アームの前記閉止位置から前記開放位置への回動方向に向かうに従って漸次大きくなることを特徴とする請求項５又は６に記載の車両通行遮断機。
【手続補正２】
【補正対象書類名】明細書
【補正対象項目名】０００９
【補正方法】変更
【補正の内容】
【０００９】
上記目的を達成するために、本発明は以下の手段を採用している。すなわち、本発明に係る車両通行遮断機は、略水平方向に延び回転駆動される開閉軸と、該開閉軸に固定され、前記開閉軸の回転に伴って、倒伏した状態の閉止位置と、起立した状態の開放位置とへ回動可能に設けられた支持アームと、リリース軸を介して前記支持アームにより支持され、前記リリース軸を中心として、前記支持アームの長手方向に対して略平行に延びる通常位置と、前記支持アームの長手方向に対し所定角度をなして延びるリリース位置とへ、回動可能な阻止棒と、前記支持アームの前記閉止位置から前記開放位置への回動に連動して、前記阻止棒を前記リリース位置から前記通常位置へと回動させる連動手段と、を備えることを特徴とする。
【手続補正書】
【提出日】平成27年8月25日(2015.8.25)
【手続補正１】
【補正対象書類名】特許請求の範囲
【補正対象項目名】全文
【補正方法】変更
【補正の内容】
【特許請求の範囲】
【請求項１】
対象の体脂肪を低減するための組成物であって、
【化１４２】
2015155440.tif 000001
である化合物またはその薬学的に許容される塩を含む、組成物。
【請求項２】
前記対象が肥満症に罹っている、請求項１に記載の組成物。
【請求項３】
前記体脂肪が皮下脂肪を含む、請求項１に記載の組成物。
【請求項４】
トロメタミンをさらに含む、請求項１に記載の組成物。
【請求項５】
前記組成物が局所投与のための医薬品組成物である、請求項４に記載の組成物。
【請求項６】
前記組成物が経皮投与のための医薬品組成物である、請求項４に記載の組成物。
【請求項７】
前記組成物が徐放性製剤として製剤化されている医薬品組成物である、請求項４に記載の組成物。
【請求項８】
前記化合物の濃度が０．３％（ｗ／ｗ）から１０％（ｗ／ｗ）までの間である、請求項５に記載の組成物。
【請求項９】
前記化合物が毎日の使用のためである、請求項１に記載の組成物。
【手続補正書】
【提出日】平成27年10月22日(2015.10.22)
【手続補正１】
【補正対象書類名】特許請求の範囲
【補正対象項目名】全文
【補正方法】変更
【補正の内容】
【特許請求の範囲】
【請求項１】
複数層を有するエマルション粒子を含有するトップコート用樹脂エマルションであって、前記複数層のうち少なくとも１層を構成する樹脂が、ｎ−ブチルメタクリレートおよびシクロヘキシルメタクリレートを含有する単量体成分を乳化重合させてなる重合体であることを特徴とするトップコート用樹脂エマルション。
【請求項２】
複数層を有するエマルション粒子を含有するトップコート用樹脂エマルションの製造方法であって、当該樹脂エマルションを調製する際に、前記複数層のうち少なくとも１層を、ｎ−ブチルメタクリレートおよびシクロヘキシルメタクリレートを含有する単量体成分を乳化重合させてなる重合体で形成させることを特徴とするトップコート用樹脂エマルションの製造方法。
【請求項３】
請求項１に記載のトップコート用樹脂エマルションを含有することを特徴とする上塗り塗料。
【手続補正２】
【補正対象書類名】明細書
【補正対象項目名】０００７
【補正方法】変更
【補正の内容】
【０００７】
本発明は、
（１）  複数層を有するエマルション粒子を含有するトップコート用樹脂エマルションであって、前記複数層のうち少なくとも１層を構成する樹脂が、ｎ−ブチルメタクリレートおよびシクロヘキシルメタクリレートを含有する単量体成分を乳化重合させてなる重合体であることを特徴とするトップコート用樹脂エマルション、
（２）  複数層を有するエマルション粒子を含有するトップコート用樹脂エマルションの製造方法であって、当該樹脂エマルションを調製する際に、前記複数層のうち少なくとも１層を、ｎ−ブチルメタクリレートおよびシクロヘキシルメタクリレートを含有する単量体成分を乳化重合させてなる重合体で形成させることを特徴とするトップコート用樹脂エマルションの製造方法、および
（３）  前記（１）に記載のトップコート用樹脂エマルションを含有することを特徴とする上塗り塗料
に関する。
【手続補正書】
【提出日】平成27年10月22日(2015.10.22)
【手続補正１】
【補正対象書類名】特許請求の範囲
【補正対象項目名】全文
【補正方法】変更
【補正の内容】
【特許請求の範囲】
【請求項１】
単量体成分を乳化重合させてなるトップコート用樹脂エマルションであって、当該樹脂エマルションに含まれるエマルション粒子を構成する樹脂の原料として用いられる単量体成分における酸基含有単量体の含有率が０．３質量％以下であることを特徴とするトップコート用樹脂エマルション。
【請求項２】
エマルション粒子が複数層を有する請求項１に記載のトップコート用樹脂エマルション。
【請求項３】
エマルション粒子の最外層を構成する樹脂の原料として用いられる単量体成分が、ピペリジン基含有単量体を含有する請求項２に記載のトップコート用樹脂エマルション。
【請求項４】
エマルション粒子の最外層を構成する樹脂のガラス転移温度とその内層を構成する樹脂のガラス転移温度との差の絶対値が３５〜７０℃である請求項２または３に記載のトップコート用樹脂エマルション。
【請求項５】
単量体成分を乳化重合させてなるトップコート用樹脂エマルションの製造方法であって、当該樹脂エマルションを調製する際に、当該樹脂エマルションに含まれるエマルション粒子を構成する樹脂の原料として用いられる単量体成分における酸基含有単量体の含有率を０．３質量％以下に調整することを特徴とするトップコート用樹脂エマルションの製造方法。
【請求項６】
請求項１〜４のいずれかに記載のトップコート用樹脂エマルションを含有することを特徴とする上塗り塗料。
【手続補正２】
【補正対象書類名】明細書
【補正対象項目名】０００７
【補正方法】変更
【補正の内容】
【０００７】
本発明は、
（１）  単量体成分を乳化重合させてなるトップコート用樹脂エマルションであって、当該樹脂エマルションに含まれるエマルション粒子を構成する樹脂の原料として用いられる単量体成分における酸基含有単量体の含有率が０．３質量％以下であることを特徴とするトップコート用樹脂エマルション、
（２）  エマルション粒子が複数層を有する前記（１）に記載のトップコート用樹脂エマルション、
（３）  エマルション粒子の最外層を構成する樹脂の原料として用いられる単量体成分が、ピペリジン基含有単量体を含有する前記（２）に記載のトップコート用樹脂エマルション、
（４）  エマルション粒子の最外層を構成する樹脂のガラス転移温度とその内層を構成する樹脂のガラス転移温度との差の絶対値が３５〜７０℃である前記（２）または（３）に記載のトップコート用樹脂エマルション、
（５）  単量体成分を乳化重合させてなるトップコート用樹脂エマルションの製造方法であって、当該樹脂エマルションを調製する際に、当該樹脂エマルションに含まれるエマルション粒子を構成する樹脂の原料として用いられる単量体成分における酸基含有単量体の含有率を０．３質量％以下に調整することを特徴とするトップコート用樹脂エマルションの製造方法、および
（６）  前記（１）〜（４）のいずれかに記載のトップコート用樹脂エマルションを含有することを特徴とする上塗り塗料
に関する。
【手続補正書】
【提出日】平成27年3月13日(2015.3.13)
【手続補正１】
【補正対象書類名】特許請求の範囲
【補正対象項目名】全文
【補正方法】変更
【補正の内容】
【特許請求の範囲】
【請求項１】
（Ａ）：（ａ）アジピン酸とヘキサメチレンジアミンとからなる単位と、
（ｂ）イソフタル酸とヘキサメチレンジアミンとからなる単位と、
を、含むポリアミドと、
（Ｂ）：数平均繊維径が３〜９μｍである繊維状強化材と、
を含有し、
前記（Ａ）ポリアミドにおいて、全カルボン酸成分中のイソフタル酸成分比率（ｘ）が、０．０５≦（ｘ）≦０．５であり、かつ、下記式（１）で示される（Ｙ）が、０．０５≦（Ｙ）≦０．８である、ポリアミド樹脂組成物。
（Ｙ）＝［（ＥＧ）−（ｘ）］／［１−（ｘ）］    ・・・（１）
（前記式（１）中、（ＥＧ）は、（Ａ）ポリアミド中に含有されている全カルボキシル末端基中のイソフタル酸末端基比率を示し、下記式（２）で示される。
（ＥＧ）＝イソフタル酸末端基量／全カルボキシル末端基量  ・・・（２））
【請求項２】
前記式（１）で示される（Ｙ）の範囲が、０．１≦（Ｙ）≦０．７である、請求項１に記載のポリアミド樹脂組成物。
【請求項３】
前記（Ｂ）繊維状強化材が、ガラス繊維である、請求項１又は２に記載のポリアミド樹脂組成物。
【請求項４】
前記（Ｂ）繊維状強化材が、ポリアミド樹脂組成物中において、重量平均繊維長１００〜５００μｍである、請求項１〜３のいずれか一項に記載のポリアミド樹脂組成物。
【請求項５】
前記（Ｂ）繊維状強化材が、カルボン酸無水物含有不飽和ビニル単量体と前記カルボン酸無水物含有不飽和ビニル単量体以外の不飽和ビニル単量体とを含んでなる共重合体を含む集束剤により処理された繊維状強化材である、請求項１〜４のいずれか一項に記載のポリアミド樹脂組成物。
【請求項６】
前記（Ａ）ポリアミド１００質量部に対して、
前記（Ｂ）繊維状強化材１〜２００質量部を含有する、請求項１〜５のいずれか一項に記載のポリアミド樹脂組成物。
【請求項７】
（Ｃ）フェノール系熱安定剤、リン系熱安定剤、アミン系熱安定剤、周期律表の第Iｂ族、第IIｂ族、第IIIａ族、第IIIｂ族、第IＶａ族及び第IＶｂ族の元素の金属塩、並びにアルカリ金属及びアルカリ土類金属のハロゲン化物、よりなる群から選ばれる一種以上の熱安定剤を更に含む、請求項１〜６のいずれか一項に記載のポリアミド樹脂組成物。
【請求項８】
前記（Ｃ）成分が、銅塩と、アルカリ金属又はアルカリ土類金属のハロゲン化物との混合物である、請求項７に記載のポリアミド樹脂組成物。
【請求項９】
請求項１〜８のいずれか一項に記載のポリアミド樹脂組成物を含む成形体。
【手続補正書】
【提出日】平成27年8月24日(2015.8.24)
【手続補正１】
【補正対象書類名】特許請求の範囲
【補正対象項目名】全文
【補正方法】変更
【補正の内容】
【特許請求の範囲】
【請求項１】
半導体セルに粘着テープを貼着する粘着テープの貼着装置であって、
離型テープ及びこの離型テープの一方の面に上記粘着テープが貼着されてなるテープ部材が巻装された供給リール、この供給リールから引き出された上記テープ部材が上記半導体セルに対向するよう走行させるガイド手段を有するテープ供給機構と、
上記供給リールから引き出された上記テープ部材の上記粘着テープを上記半導体セルに貼着する長さ寸法に切断する切断機構と、
この切断機構によって切断された上記粘着テープを上記半導体セルに貼着する貼着手段と、
この貼着手段に上記半導体セルを供給し、上記粘着テープが貼着された半導体セルを排出する給排機構を具備し、
上記給排機構は、駆動手段によって周方向に間欠駆動される回転体を有し、この回転体には上面に上記半導体セルが保持される複数のステージ、及びダミーセルが着脱可能に設けられる取付け部が周方向に設けられていて、
上記複数のステージは、上記半導体セルが供給される供給位置と、上記半導体セルに上記貼着手段によって上記粘着テープを貼着する貼着位置と、上記粘着テープが貼着された上記半導体セルを排出する排出位置とに上記駆動手段によって位置決めされるようになっていて、
上記ダミーセルが設けられる上記取付け部は、上記供給リールを新たな供給リールに交換したときに、上記取付け部に設けられる上記ダミーセルに上記切断機構によって切断された上記粘着テープを上記貼着手段によって試し貼着するために上記貼着位置に位置決めされることを特徴とする粘着テープの貼着装置。
【請求項２】
上記給排機構は、上記回転体の周方向に９０度間隔で設けられた３つの上記ステージと１つの上記取付け部とを有し、この取付け部にダミーセルが設けられていないとき、３つの上記ステージが上記供給位置、上記貼着位置、上記排出位置に順次位置決めされることを特徴とする請求項１記載の粘着テープの貼着装置。
【請求項３】
上記給排機構は、上記回転体の周方向に１８０度間隔で設けられた２つのステージとこれらステージに対して周方向に９０度ずれた位置に設けられた上記取付け部とを有し、一方のステージが上記貼着位置に位置決めされているとき、他方のステージは上記半導体セルの供給と排出が行われる給排位置に位置決めされるようになっていて、
上記取付け部にダミーセルが設けられていないとき、２つの上記ステージが上記給排位置と上記貼着位置に順次位置決めされることを特徴とする請求項１記載の粘着テープの貼着装置。
【請求項４】
半導体セルに粘着テープを貼着する粘着テープの貼着方法であって、
上記半導体セルをステージに供給する工程と、
供給リールに巻装された離型テープ及びこの離型テープの一方の面に上記粘着テープが貼着されてなるテープ部材を、上記ステージに供給された上記半導体セルに対向するよう供給する工程と、
上記テープ部材の上記粘着テープを上記半導体セルに貼着する長さ寸法に切断する工程と、
所定長さに切断された上記粘着テープを上記半導体セルに位置決めして貼着する工程と、
上記粘着テープが貼着された上記半導体セルを上記ステージから排出する工程と
を具備し、
回転体の周方向に設けられて間欠駆動される複数のステージと取付け部とを有し、
上記複数のステージを、上記半導体セルを供給する供給位置と、上記半導体セルに上記粘着テープを貼着する貼着位置と、上記粘着テープが貼着された上記半導体セルを排出する排出位置とに位置決めし、
上記供給リールを新たな供給リールに交換したときに、上記取付け部にダミーセルを設け、このダミーセルを上記貼着位置に位置決めし、所定長さに切断された上記粘着テープを上記ダミーセルに試し貼着することを特徴とする粘着テープの貼着方法。
【手続補正２】
【補正対象書類名】明細書
【補正対象項目名】００３０
【補正方法】変更
【補正の内容】
【００３０】
この発明は、  半導体セルに粘着テープを貼着する粘着テープの貼着装置であって、
離型テープ及びこの離型テープの一方の面に上記粘着テープが貼着されてなるテープ部材が巻装された供給リール、この供給リールから引き出された上記テープ部材が上記半導体セルに対向するよう走行させるガイド手段を有するテープ供給機構と、
上記供給リールから引き出された上記テープ部材の上記粘着テープを上記半導体セルに貼着する長さ寸法に切断する切断機構と、
この切断機構によって切断された上記粘着テープを上記半導体セルに貼着する貼着手段と、
上記半導体セルを供給、排出する給排機構を具備し、
上記給排機構は、駆動手段によって周方向に間欠駆動される回転体を有し、この回転体には上面に上記半導体セルが保持される複数のステージ、及びダミーセルが着脱可能に設けられる取付け部が周方向に設けられていて、
上記複数のステージは、上記半導体セルが供給される供給位置と、上記半導体セルに上記貼着手段によって上記粘着テープを貼着する貼着位置と、上記粘着テープが貼着された上記半導体セルを排出する排出位置とに上記駆動手段によって位置決めされるようになっていて、
上記ダミーセルが設けられる上記取付け部は、上記供給リールを新たな供給リールに交換したときに、上記取付け部に設けられる上記ダミーセルに上記切断機構によって切断された上記粘着テープを上記貼着手段によって試し貼着するために上記貼着位置に位置決めされることを特徴とする粘着テープの貼着装置にある。
【手続補正３】
【補正対象書類名】明細書
【補正対象項目名】００３１
【補正方法】変更
【補正の内容】
【００３１】
この発明は、半導体セルに粘着テープを貼着する粘着テープの貼着方法であって、
上記半導体セルをステージに供給する工程と、
供給リールに巻装された離型テープ及びこの離型テープの一方の面に上記粘着テープが貼着されてなるテープ部材を、上記ステージに供給された上記半導体セルに対向するよう供給する工程と、
上記テープ部材の上記粘着テープを上記半導体セルに貼着する長さ寸法に切断する工程と、
所定長さに切断された上記粘着テープを上記半導体セルに位置決めして貼着する工程と、
上記粘着テープが貼着された上記半導体セルを上記ステージから排出する工程と
を具備し、
回転体の周方向に設けられて間欠駆動される複数のステージと取付け部とを有し、
上記複数のステージを、上記半導体セルを供給する供給位置と、上記半導体セルに上記粘着テープを貼着する貼着位置と、上記粘着テープが貼着された上記半導体セルを排出する排出位置とに位置決めし、
上記供給リールを新たな供給リールに交換したときに、上記取付け部にダミーセルを設け、このダミーセルを上記貼着位置に位置決めし、所定長さに切断された上記粘着テープを上記ダミーセルに試し貼着することを特徴とする粘着テープの貼着方法にある。
【手続補正書】
【提出日】平成27年8月4日(2015.8.4)
【手続補正１】
【補正対象書類名】特許請求の範囲
【補正対象項目名】全文
【補正方法】変更
【補正の内容】
【特許請求の範囲】
【請求項１】
組み立てられた状態で、前後面、左右側面、上下面の６面を備えた立方体形状を有するプレイングカードの包装箱であって、
前記包装箱の中の前記プレイングカードにカットカードを挿入するために前記プレイングカードの一部分が露出されるように、前記包装箱の左右の側面の少なくとも一方を取り外すことが可能となる、前記立方体の包装箱の長手方向に形成されたカット線と、
前記包装箱がカードシュータ装置に収納されたとき、前記包装箱の残りの部分を破ることを可能とする破断線と、
前記カットカードを挿入するために前記包装箱の側面が取り外されたとき、前記プレイングカードのインデックスが印刷された側が上にならないように前記包装箱の上面もしくはプレイングカードの正しい向きを示す表示と、
を備えた、プレイングカードの包装箱。
【請求項２】
前記カットカードを挿入するために最初に取り外すべき前記包装箱の一部分を示す表示をさらに備えた、請求項１に記載のプレイングカードの包装箱。
【請求項３】
前記破断線に沿って前記残りの部分を破り、前記残りの部分を前記カードシュータ装置から取り除くと、前記プレイングカードだけが前記カードシュータ装置内に残る、請求項１に記載のプレイングカードの包装箱。
【請求項４】
一対のカット線を備え、一方のカット線で前記包装箱の左側面を取り外すことが可能となり、もう一方のカット線で前記包装箱の右側面を取り外すことが可能となる、請求項１から３のいずれかに記載のプレイングカードの包装箱。
【請求項５】
請求項１から４のいずれかに記載の包装箱を用い、１または複数のデッキを含むプレイングカードのセットがシャッフルされた状態で前記包装箱に収納され封印された、シャッフルプレイングカード。
【請求項６】
前記包装箱の前記残った部分に、前記シャッフルプレイングカードのセット毎に異なるＩＤを表す印字もしくはバーコードを備えた、請求項５に記載のシャッフルプレイングカード。
【請求項７】
シャッフルプレイングカードをカードシュータ装置に収納する方法であって、
前記シャッフルプレイングカードは、１または複数のデッキのプレイングカードがランダムな順番にシャッフルされた状態で、包装箱に収納され、
前記包装箱は、前後面、左右側面、上下面の６面を備えた立方体形状を有し、立方体の長手方向にカット線と破断線を備え、
前記方法は、
前記カット線に沿って、前記包装箱の左右の側面の少なくとも一方を外して前記包装箱内のカードの一部分を露出する、側面露出ステップと、
前記包装箱の露出した側面から前記包装箱に入った前記シャッフルプレイングカードにカットカードを挿入する、カットカードステップと、
前記包装箱の残った部分を使って前記シャッフルプレイングカードを掴み、前記プレイングカードをカードシュータ装置に収納する、収納ステップと、
前記カードシュータ装置内の前記包装箱の残った部分を前記破断線で破り、前記包装箱の残った部分を取り除き、前記シャッフルプレイングカードだけを前記カードシュータ装置に残す、収納完了ステップと、
を含む、シャッフルプレイングカードの収納方法。
【請求項８】
前記側面露出ステップの前に、前記カットカードを挿入するために前記包装箱の側面を取り除いたとき、前記シャッフルプレイングカードのインデックスが印刷された側が前記露出した側面の上部にならないように、前記プレイングカードを含む前記包装箱の向きを整えるステップをさらに含んだ、請求項７に記載のシャッフルプレイングカードの収納方法。
【請求項９】
前記包装箱は前記包装箱の側面を取り除く順を示す表示を備えた、請求項７に記載のシャッフルプレイングカードの収納方法。
【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
円柱状の支持軸と、
前記支持軸に軸支され、正逆方向に回転する紙送りローラーと、
前記支持軸に軸支され、正方向に回転し、外周面に軸方向に延在する送り込み用突起が形成される送り込みローラーと、
前記紙送りローラーと前記送り込みローラーとの間に配置され、前記紙送りローラーが正方向に回転する場合に前記紙送りローラーの駆動力を前記送り込みローラーに伝達し、前記紙送りローラーが逆方向に回転する場合に前記紙送りローラーの駆動力を前記送り込みローラーに伝達しない動力伝達部と、
を有することを特徴とする単票搬送装置。
【請求項２】
前記動力伝達部は、
前記紙送りローラー側に配設され、前記紙送りローラーから駆動力を受ける係合部と、
前記送り込みローラー側に配設され、前記送り込みローラーへ駆動力の伝達および遮断を行うラチェット部と、
前記送り込みローラーの前記動力伝達部側に配設されて前記ラチェット部と係合するラチェット係合部と、
前記動力伝達部を前記送り込みローラー方向へ付勢する弾性部と、を有し、
前記紙送りローラーの正方向の回転時に、前記ラチェット部は、前記ラチェット係合部に係合し駆動力を伝達し、
前記紙送りローラーの逆方向の回転時は、前記ラチェット部は、前記ラチェット係合部を乗り越え空転し駆動力を遮断する請求項１に記載の単票搬送装置。
【請求項３】
前記送り込み用突起は、
前記紙送りローラーの外周面より外に突出して形成される請求項１または２に記載の単票搬送装置。
【手続補正２】
【補正対象書類名】明細書
【補正対象項目名】０００６
【補正方法】変更
【補正の内容】
【０００６】
（適用例１）円柱状の支持軸と、前記支持軸に軸支され、正逆方向に回転する紙送りローラーと、前記支持軸に軸支され、正方向に回転し、外周面に軸方向に延在する送り込み用突起が形成される送り込みローラーと、前記紙送りローラーと前記送り込みローラーとの間に配置され、前記紙送りローラーが正方向に回転する場合に前記紙送りローラーの駆動力を前記送り込みローラーに伝達し、前記紙送りローラーが逆方向に回転する場合に前記紙送りローラーの駆動力を前記送り込みローラーに伝達しない動力伝達部と、を有する。
【手続補正３】
【補正対象書類名】明細書
【補正対象項目名】０００８
【補正方法】変更
【補正の内容】
【０００８】
（適用例２）前記動力伝達部は、前記紙送りローラー側に配設され、前記紙送りローラーから駆動力を受ける係合部と、前記送り込みローラー側に配設され、前記送り込みローラーへ駆動力の伝達および遮断を行うラチェット部と、前記送り込みローラーの前記動力伝達部側に配設されて前記ラチェット部と係合するラチェット係合部と、前記動力伝達部を前記送り込みローラー方向へ付勢する弾性部と、を有し、前記紙送りローラーの正方向の回転時に、前記ラチェット部は、前記ラチェット係合部に係合し駆動力を伝達し、前記紙送りローラーの逆方向の回転時は、前記ラチェット部は、前記ラチェット係合部を乗り越え空転し駆動力を遮断する。
【手続補正４】
【補正対象書類名】明細書
【補正対象項目名】００１０
【補正方法】変更
【補正の内容】
【００１０】
（適用例３）前記送り込み用突起は、前記紙送りローラーの外周面より外に突出して形成される。
【手続補正書】
【提出日】平成27年7月1日(2015.7.1)
【手続補正１】
【補正対象書類名】特許請求の範囲
【補正対象項目名】全文
【補正方法】変更
【補正の内容】
【特許請求の範囲】
【請求項１】
ラクンタイ、ハチセンカ及びホウトウから選ばれる１種以上の植物又はそれらの抽出物を有効成分とするＳｔＡＲ発現抑制剤。
【請求項２】
ラクンタイ及びハチセンカから選ばれる１種以上の植物又はそれらの抽出物を有効成分とする皮脂分泌抑制剤。
【請求項３】
ラクンタイ及びハチセンカから選ばれる１種以上の植物又はそれらの抽出物を有効成分とするニキビ予防又は改善剤。
【請求項４】
ハチセンカ及びホウトウから選ばれる１種以上の植物又はそれらの抽出物を有効成分とする育毛剤。
【請求項５】
ラクンタイ、ハチセンカ及びホウトウから選ばれる１種以上の植物又はそれらの抽出物を有効成分とするテストステロン合成抑制剤。
【手続補正書】
【提出日】平成27年7月24日(2015.7.24)
【手続補正１】
【補正対象書類名】特許請求の範囲
【補正対象項目名】全文
【補正方法】変更
【補正の内容】
【特許請求の範囲】
【請求項１】
一般式
【化１】
2014031330.tif 000001
（式中、Ｒは水酸基を表す。）
で示されるクルクミン誘導体の少なくとも一つを活性成分として含んでなるα−アミラーゼ阻害剤。
【請求項２】
前記クルクミン誘導体は、ウコン根茎の抽出物である、請求項１記載のα−アミラーゼ阻害剤。
【請求項３】
請求項１または２記載のα−アミラーゼ阻害剤を含んでなる高血糖症、糖尿病、肥満、メタボリックシンドローム、または糖尿病合併症の予防剤、治療剤または改善剤。
【請求項４】
請求項１または２記載のα−アミラーゼ阻害剤を含んでなる飲食品用組成物。
【請求項５】
請求項４記載の飲食品用組成物を含んでなる飲食品。
【手続補正書】
【提出日】平成27年7月31日(2015.7.31)
【手続補正１】
【補正対象書類名】特許請求の範囲
【補正対象項目名】請求項２
【補正方法】変更
【補正の内容】
【請求項２】
前記一方の電極又は前記他方の電極を前記ワークの単位長さ当たりの抵抗が増加する方向に移動し、上記抵抗の増加に応じて移動する電極の速度を調整し、前記ワークの加熱すべき領域が所定の分布を有するか又は均一となるように昇温する、請求項１に記載の通電加熱方法。
【手続補正２】
【補正対象書類名】明細書
【補正対象項目名】０００９
【補正方法】変更
【補正の内容】
【０００９】
上記構成において、好ましくは、一方の電極又は他方の電極をワークの単位長さ当たりの抵抗が増加する方向に移動させ、抵抗の増加に応じて移動する電極の速度を調整し、ワークの加熱すべき領域が所定の分布を有するか又は均一となるように昇温する。
【手続補正３】
【補正対象書類名】明細書
【補正対象項目名】００８８
【補正方法】変更
【補正の内容】
【００８８】
ワークの加熱領域において、移動電極方向に沿う単位長さ当たりの抵抗が単調に増加する場合、例えば、加熱領域の奥行き幅が移動電極方向に沿って減少している場合には、その減少に応じて移動電極の速度を制御することにより、加熱領域の昇温を一定にして、ワークの加熱領域の昇温分布を生じさせることができる。
【手続補正書】
【提出日】平成27年6月18日(2015.6.18)
【手続補正１】
【補正対象書類名】特許請求の範囲
【補正対象項目名】全文
【補正方法】変更
【補正の内容】
【特許請求の範囲】
【請求項１】
乳房に当接する左右のカップ部（11）を有する前部（１）と、該前部（１）からそれぞれ側方へ延伸した両脇部（２）と、その両脇部（２）と接続する後部（３）と、左右の前記カップ部（11）の上方から前記後部（３）に渡って肩に引掛けるための肩紐部（４）と、から成す授乳用ブラジャーであって、少なくとも前記前部（１）と前記肩紐部（４）に、吸湿発熱繊維によって成した布地が用いられ、且つ、少なくとも前記両脇部（２）に、吸湿性と吸汗性及び速乾性を少なくとも有した布地が用いられたことを特徴とする発熱部分と接触冷感部分を併設した授乳用ブラジャー。
【請求項２】
前記両脇部（２）に、放湿性を更に加えた布地が用いられた請求項１記載の発熱部分と接触冷感部分を併設した授乳用ブラジャー。
【請求項３】
前記前部（１），前記両脇部（２），前記後部（３），前記肩紐部（４）に、弾性を有した布地が用いられた請求項１の発熱部分と接触冷感部分を併設した授乳用ブラジャー。
【請求項４】
前記後部（３）に、吸湿発熱繊維によって成された布地或いは吸湿性と吸汗性及び速乾性を少なくとも有した布地が用いられた請求項１又は３の発熱部分と接触冷感部分を併設した授乳用ブラジャー。